(57)【要約】【課題】容易な操作により、撮影した画像の検索が容易になるデジタルカメラ及び画像ファイル管理方法を提供する。【解決手段】撮像手段と、記録手段と、データの送受信手段とを備えたデジタルカメラ。他の携帯端末又はコンピュータで作成された、少なくとも日時と件名とが対応付けられたスケジュールデータをデータの送受信手段により所得し、記録手段内の各画像ファイルの撮影日時と、スケジュールデータの日時とを照合する。スケジュールデータの日時と対応する撮影日時の画像ファイルがあった場合には、件名毎に件名をフォルダ名として付した新たなフォルダを記録手段内に作成するとともに、件名の日時と対応する撮影日時の画像ファイルの全てを当該フォルダに記録させ、この操作をスケジュールデータに対して実施させる。【選択図】          図４
2004228987.tif 000002
【特許請求の範囲】
【請求項１】
撮像手段と、記録手段と、データの送受信手段とを備えたデジタルカメラにおいて、
他の携帯端末又はコンピュータで作成された、少なくとも日時と件名とが対応付けられたスケジュールデータを前記データの送受信手段により所得するとともに、前記記録手段内の各画像ファイルに記録されている撮影日時と、所得した前記スケジュールデータの日時とを照合し、
前記スケジュールデータの日時と対応する撮影日時の画像ファイルがあった場合には、前記件名毎にスケジュールデータの件名をフォルダ名として付した新たなフォルダを前記記録手段内に作成するとともに、前記件名の日時と対応する撮影日時の画像ファイルの全てを当該フォルダに記録させ、
上記の操作を前記スケジュールデータに対して実施させる制御手段を備えたことを特徴とするデジタルカメラ。
【請求項２】
撮像手段と、記録手段と、データの送受信手段とを備えたデジタルカメラから送信された画像ファイルのデータを他の携帯端末又はコンピュータで受信して、該携帯端末又はコンピュータで前記画像ファイルを管理する画像ファイル管理方法であって、
前記デジタルカメラより前記画像ファイルのデータをファイル１個分ずつ他の携帯端末又はコンピュータに送信する工程と、
前記ファイル１個分ずつ受信した画像ファイルに記録されている撮影日時と、前記他の携帯端末又はコンピュータで作成された、少なくとも日時と件名とが対応付けられたスケジュールデータの日時とを照合する工程と、
前記スケジュールデータの日時と対応する撮影日時の画像ファイルであった場合には、前記件名毎にスケジュールデータの件名をフォルダ名として付した新たなフォルダを前記他の携帯端末又はコンピュータの記録手段内に作成するとともに、前記件名の日時と対応する撮影日時の画像ファイルを当該フォルダに記録させる工程と、
前記スケジュールデータの日時と対応する撮影日時の画像ファイルであった場合でも、これに対応するフォルダが既に前記他の携帯端末又はコンピュータの記録手段内にあった場合には、前記画像ファイルを当該フォルダに記録させる工程と、
上記の操作を前記デジタルカメラの画像ファイルに対して行う工程と、を含むことを特徴とする画像ファイル管理方法。
【発明の詳細な説明】
【０００１】
【発明の属する技術分野】
本発明はデジタルカメラ及び画像ファイル管理方法に係り、特に、画像ファイルの内容が容易に解るデジタルカメラ及び画像ファイル管理方法に関する。
【０００２】
【従来の技術】
従来より、各方面においてデジタルカメラが使用されている。このデジタルカメラでは、近年の技術の進展によりメモリ容量が増大しつつあるが、これに伴い、記録する画像の整理が負担となる問題も生じている。
【０００３】
すなわち、デジタルカメラのメモリに撮影した画像を格納する際に、メモリ内にフォルダが１個設けられており、このフォルダ内に画像を格納する方式が一般的に採用されている（図７参照）。ところが、撮影後、日時が経つと、フォルダ内にどの画像が記録されているのか、記憶が不確かになり、記録画像を再生する手間がかかることが多い。
【０００４】
このような問題に対処すべく、従来より各種の提案がなされている（たとえば、特許文献１、特許文献２等参照。）。このうち、特許文献１は、連写する毎にフォルダを分けることにより、画像の検索を容易とするものである。
【０００５】
特許文献２は、外部の記録媒体に属性（日付情報や機種情報）を持たせることにより、カメラからの画像転送の際に、その属性に従い画像を振り分けるものである。これにより、どのカメラで撮影した何時の情報であるかを分類することができ、後の検索を容易にできるとされている。
【０００６】
【特許文献１】
特開平１１−３４１４２１号公報
【０００７】
【特許文献２】
特開２００１−５７０５６号公報
【０００８】
【発明が解決しようとする課題】
しかしながら、従来の提案のみでは、撮影した画像の検索が容易になるとは言い難い。すなわち、日付情報や機種情報のみでは検索するのに限界があり、必ずしも検索が容易にはならない。
【０００９】
本発明は、このような事情に鑑みてなされたもので、容易な操作により、撮影した画像の検索が容易になるデジタルカメラ及び画像ファイル管理方法を提供することを目的としている。
【００１０】
【課題を解決するための手段】
前記目的を達成するために、本発明は、撮像手段と、記録手段と、データの送受信手段とを備えたデジタルカメラにおいて、他の携帯端末又はコンピュータで作成された、少なくとも日時と件名とが対応付けられたスケジュールデータを前記データの送受信手段により所得するとともに、前記記録手段内の各画像ファイルに記録されている撮影日時と、所得した前記スケジュールデータの日時とを照合し、前記スケジュールデータの日時と対応する撮影日時の画像ファイルがあった場合には、前記件名毎にスケジュールデータの件名をフォルダ名として付した新たなフォルダを前記記録手段内に作成するとともに、前記件名の日時と対応する撮影日時の画像ファイルの全てを当該フォルダに記録させ、上記の操作を前記スケジュールデータに対して実施させる制御手段を備えたことを特徴とするデジタルカメラを提供する。
【００１１】
本発明によれば、デジタルカメラが他の携帯端末又はコンピュータで作成されたスケジュールデータを所得し、スケジュールデータの日時と記録手段内の各画像ファイルの撮影日時とを照合する。そして、対応する撮影日時の画像ファイルがあった場合には、件名毎に件名をフォルダ名とした新たなフォルダを記録手段内に作成し、これと対応する撮影日時の画像ファイルの全てをこのフォルダに記録させる。これにより、件名に対応した画像ファイルがこのフォルダに記録されることとなり、撮影した画像の検索が極めて容易になる。
【００１２】
また、本発明は、撮像手段と、記録手段と、データの送受信手段とを備えたデジタルカメラから送信された画像ファイルのデータを他の携帯端末又はコンピュータで受信して、該携帯端末又はコンピュータで前記画像ファイルを管理する画像ファイル管理方法であって、前記デジタルカメラより前記画像ファイルのデータをファイル１個分ずつ他の携帯端末又はコンピュータに送信する工程と、前記ファイル１個分ずつ受信した画像ファイルに記録されている撮影日時と、前記他の携帯端末又はコンピュータで作成された、少なくとも日時と件名とが対応付けられたスケジュールデータの日時とを照合する工程と、前記スケジュールデータの日時と対応する撮影日時の画像ファイルであった場合には、前記件名毎にスケジュールデータの件名をフォルダ名として付した新たなフォルダを前記他の携帯端末又はコンピュータの記録手段内に作成するとともに、前記件名の日時と対応する撮影日時の画像ファイルを当該フォルダに記録させる工程と、前記スケジュールデータの日時と対応する撮影日時の画像ファイルであった場合でも、これに対応するフォルダが既に前記他の携帯端末又はコンピュータの記録手段内にあった場合には、前記画像ファイルを当該フォルダに記録させる工程と、上記の操作を前記デジタルカメラの画像ファイルに対して行う工程と、を含むことを特徴とする画像ファイル管理方法を提供する。
【００１３】
本発明によれば、先ず、デジタルカメラより画像データをファイル１個分ずつ送信する。他の携帯端末又はコンピュータでは、この受信した画像ファイルに記録されている撮影日時と、内蔵のスケジュールデータの日時とを照合し、対応する撮影日時の画像ファイルであった場合には、件名を付した新たなフォルダを作成し、対応する画像ファイルをこのフォルダに記録させる。一方、スケジュールデータと対応する撮影日時の画像ファイルであった場合でも、これに対応するフォルダが既に存在する場合には、この画像ファイルを当該フォルダに記録させる。そして、以上の操作を全ての画像ファイルに対して行う。これにより、件名に対応した画像ファイルが各フォルダに記録されることとなり、撮影した画像の検索が極めて容易になる。
【００１４】
【発明の実施の形態】
以下、添付図面に従って、本発明に係るデジタルカメラ及び画像ファイル管理方法の好ましい実施の形態について詳説する。
【００１５】
図１に、デジタルカメラの外観斜視図を示す。同図によれば、デジタルカメラ１０には、被写体像を撮像手段に結像させる撮影レンズ１２と、画像データや通信状況及びコマ番号表示１４など各種情報を表示する表示手段１６と、デジタルカメラ１０の機能の起動及び停止を入力する電源スイッチ１８と、操作者が撮影を指示するレリーズボタン２０と、デジタルカメラ１０に備えられている撮影モードや再生モード等の各種のモードを切り替えて設定するモード切替ダイヤル２２と、表示手段１６に表示されている項目から所望の項目を消去する際に指定する消去ボタン２４と、表示手段１６に表示されている項目から所望の項目を登録する設定ボタン２６と、表示手段１６に表示されているコマ番号等をインクレメントする場合に操作するインクレメントボタン２８と、表示手段１６に表示されているコマ番号等をデクレメントする場合に操作するデクレメントボタン３０とが設けられている。
【００１６】
また、画像データ、音声データ、個人情報及びスケジュール情報等の情報を無線通信によって外部の機器と送受信する場合に、搬送波及びデータを送受信するアンテナ３２と、画像データや撮影情報を出力する際に有線の通信を行う通信コネクタ３４と、挿抜可能な記録媒体３６を介して画像データや撮影情報を交換する際に用いる記録媒体装着部３８とが設けられている。
【００１７】
図２は、図１に示したデジタルカメラ１０の信号処理系のブロック図である。デジタルカメラ１０には、被写体の像を受光面に結像させて光電変換し、画像データとして出力する撮像手段８０と、デジタルカメラ１０全体の制御を行うとともに画像データのサンプリングタイミング制御、画像データの記録制御、通信制御、表示制御等の制御を行う情報処理手段８２（ＣＰＵ）と、画像サイズの変更、シャープネス補正、ガンマ補正、コントラスト補正、ホワイトバランス補正等の処理を行う画像処理手段８４と、アナログ情報の画像データをデジタルデータに変換するＡ／Ｄ変換器８６と、レリーズボタン２０、モード切替ダイヤル２２、消去ボタン２４、設定ボタン２６、インクレメントボタン２８、デクレメントボタン３０等の利用者が情報を入力する際に用いる入力手段８８と、入力手段８８の設定情報を入力するインターフェースであるＩ／Ｏ９０とが設けられている。
【００１８】
また、デジタルカメラ１０には、画像データ等の情報をＪＰＥＧやモーションＪＰＥＧに代表される手法で圧縮制御したり、圧縮したデータを伸張展開制御する処理を行う圧縮伸長手段９２と、画像データ及び撮影情報を着脱可能な記録媒体３６に記録したり読み出したりするためにデータを変換する記録媒体インターフェース９４と、既述の記録媒体装着部３８とが設けられている。
【００１９】
記録媒体３６は、メモリーカードやＭＯ等の半導体、磁気記録、光記録に代表される着脱可能な記録媒体である。なお、この記録媒体３６には、他の通信機器から無線の通信手段を介して受信した撮影情報、個人情報又はスケジュール等の情報と撮影して得た画像とを関連付けて記録するようにできる。詳細については、後述する。
【００２０】
また、デジタルカメラ１０には、情報処理手段８２の動作プログラムや各定数が記憶されているＲＯＭと、プログラム実行時の作業領域となる記憶手段であるＲＡＭにより構成されているシステムメモリ９６と、デジタルカメラ１０の各種設定定数を電源遮断後も記憶し続けることが可能な書き替え可能な不揮発性メモリ９７と、現在の時刻を刻むカレンダ時計９８と、撮影情報等の各種データを通信によって外部の機器と送受信する場合に用いる送受信手段１０６（通信手段）と、画像データを表示手段１６（この場合は、液晶表示素子）に表示するためのＤ／Ａ変換器１０８と、情報処理手段８２から指令される表示用の画像データを一時的に記憶しておくＶＲＡＭ等で構成されているフレームメモリ１１０と、情報処理手段８２から指令されるコード情報を表示する文字やメッセージデータに変換して画像とともにオンスクリーンディスプレイするＯＳＤ１１２とが設けられている。
【００２１】
送受信手段１０６には、通信コネクタ３４やアンテナ３２が接続されており、他の通信機器と情報の送受信を実施することが可能となっている。なお、他の通信機器から受信した撮影情報、個人情報又はスケジュール等の情報と撮影して得た画像とを関連付けて、通信コネクタ３４やアンテナ３２を介して他の通信機器に送信するようにもできる。
【００２２】
図３は、デジタルカメラ１０と携帯端末１４０又はコンピュータ１５０との送受信状態を示す概念図である。デジタルカメラ１０と携帯端末１４０、デジタルカメラ１０とコンピュータ１５０、携帯端末１４０とコンピュータ１５０は、いずれも有線（通信コネクタ等）や無線（アンテナ等）を介して相互に送受信が行える。
【００２３】
次に、本発明の作用について説明する。図４は、スケジュールデータとメモリ内のフォルダとの関係を示す概念図であり、図５は、第１の実施形態の流れを説明するフローチャートである。
【００２４】
先ず、デジタルカメラ１０と携帯端末１４０又はコンピュータ１５０と送受信状態が確保された状態でスタートする（ステップＳ０）。携帯端末１４０又はコンピュータ１５０よりスケジュールデータを送信し、これをデジタルカメラ１０が受信する送受信がなされる（ステップＳ２）。
【００２５】
このスケジュールデータは、図４の左側の表に示されるような内容となっており、少なくとも日時と件名とが対応付けられている。すなわち、この表には日付、時間及び件名の欄が設けられており、該当する内容が記載されている。たとえば、２００２年７月２日には２件のイベント（件）があり、１０時から１１時半には戦略会議が、１４時から１６時には定例会が設けられている。また、２００２年７月３日と４日にはイベント（件）としていずれも終日伊豆キャンプが設けられている。したがって、３日と４日の時間の欄は、空白となっている。
【００２６】
次のステップとして、スケジュールデータのうち１の件名を選択する（ステップＳ４）。次いで、画像ファイルのうち１個を選択する（ステップＳ６）。そして、選択した画像ファイルに記録されている撮影日時と、選択したスケジュールデータの日時とを照合し、画像の撮影日時がスケジュールデータの日時と対応するか否かを判断する（ステップＳ８）。
【００２７】
撮影日時が対応する場合（Ｙｅｓ）には、スケジュールデータの日時と件名をフォルダ名として付した新たなフォルダをデジタルカメラ１０の記録手段（記録媒体３６）内に作成する（ステップＳ１０）。そして、選択した画像ファイルをこのフォルダに記録させる（ステップＳ１２）。
【００２８】
一方、ステップＳ８において、撮影日時が対応しない場合（Ｎｏ）には、デジタルカメラ１０の記録手段（記録媒体３６）内に未選択の画像ファイルが有るか否かを判断する（ステップＳ１４）。そして、未選択の画像ファイルが有った場合（Ｙｅｓ）には、ステップＳ６に戻り、このループを繰り返す。未選択の画像ファイルが無かった場合（Ｎｏ）には、ステップＳ２２（後で詳説する）に進む。
【００２９】
ステップＳ１２の次のステップとして、デジタルカメラ１０の記録手段（記録媒体３６）内に未選択の画像ファイルが有るか否かを判断する（ステップＳ１６）。そして、未選択の画像ファイルが有った場合（Ｙｅｓ）には、他の１個の画像ファイルを選択する（ステップＳ１８）。次いで、選択した画像ファイルに記録されている撮影日時と、選択したスケジュールデータの日時とを照合し、画像の撮影日時がスケジュールデータの日時と対応するか否かを判断する（ステップＳ２０）。
【００３０】
ステップＳ２０において、撮影日時が対応しない場合（Ｎｏ）には、ステップＳ１６に戻り、このループを繰り返す。一方、撮影日時が対応する場合（Ｙｅｓ）には、ステップＳ１２に戻り、このループを繰り返す。
【００３１】
ステップＳ１６に戻って、未選択の画像ファイルが無かった場合（Ｎｏ）には、ステップＳ２２に進む。このステップＳ２２において、フォルダに記録された画像ファイル以外の全ての画像ファイルを、未選択と認識させる。すなわち、これまでのステップにおいては、ステップＳ４で選択したスケジュールデータのうち、１の件名についてのみ、該当する画像ファイルが有るか否かの判断がなされたのみであり、他の件名についての判断はなされていない。それゆえ、フォルダに未記録の画像ファイルを、未選択と認識させる。
【００３２】
ステップＳ２２に次いで、スケジュールデータのうち、未選択の件名が有るか否かを判断する（ステップＳ２４）。そして、未選択の件名が有った場合（Ｙｅｓ）には、ステップＳ４に戻り、このループを繰り返す。一方、未選択の件名が無かった場合（Ｎｏ）には、全てのスケジュールデータについての判断がなされたので、処理を終了する（ステップＳ９９９）。
【００３３】
以上の状態でのデジタルカメラ１０の記録手段（記録媒体３６）の内容が、図４の右側に示されるような表示手段１６の画面に示される。この画面において、記録手段（記録媒体３６）内には、従来からあったフォルダ（ＦＵＪＩ＿１００  ）に加えて、７／２／２００２戦略会議、７／２／２００２定例会、７／３／２００２伊豆キャンプ、７／４／２００２伊豆キャンプの４つのフォルダが新設され、該当する撮影日時の画像ファイルが分類されてそれぞれ記録されている。
【００３４】
なお、４つのフォルダに該当しない撮影日時の画像ファイルは、従来からあったフォルダ（ＦＵＪＩ＿１００  ）に記録されたままである。
【００３５】
次に、本発明の第２の実施形態について説明する。先の第１の実施形態は、デジタルカメラ１０の内部でフォルダを新設し、これに画像ファイルをそれぞれ記録する構成を採用したが、本実施形態はこれと異なり、デジタルカメラ１０より携帯端末１４０又はコンピュータ１５０に画像ファイルのデータを送信し、携帯端末１４０又はコンピュータ１５０の内部でフォルダを新設し、これに画像ファイルをそれぞれ記録する構成を採用する。
【００３６】
図６は、この第２の実施形態の流れを説明するフローチャートである。なお、スケジュールデータと携帯端末１４０又はコンピュータ１５０のメモリ内のフォルダとの関係は、図４に示される態様と略同様であることより、省略する。
【００３７】
先ず、デジタルカメラ１０と携帯端末１４０又はコンピュータ１５０と送受信状態が確保された状態でスタートする（ステップＳ１００）。ここで、デジタルカメラ１０より画像ファイルのデータをファイル１個分他の携帯端末１４０又はコンピュータ１５０に送信し、携帯端末１４０又はコンピュータ１５０が受信する送受信がなされる（ステップＳ１０２）。
【００３８】
次のステップとして、携帯端末１４０又はコンピュータ１５０は、保有するスケジュールデータのうち１の件名を選択する（ステップＳ１０４）。
【００３９】
次いで、画像ファイルに記録されている撮影日時と、選択したスケジュールデータの日時とを照合し、画像の撮影日時がスケジュールデータの日時と対応するか否かを判断する（ステップＳ１０６）。撮影日時が対応しない場合（Ｎｏ）には、ステップＳ１１４（後で詳説する）に進む。
【００４０】
一方、ステップＳ１０６において、撮影日時が対応する場合（Ｙｅｓ）には、スケジュールデータの日時と件名をフォルダ名として付したフォルダが他の携帯端末１４０又はコンピュータ１５０の記録手段内に有るか否かを判断する（ステップＳ１０８）。そして、既に同一フォルダ名のフォルダが有った場合（Ｙｅｓ）には、この画像ファイルをこのフォルダに記録させる（ステップＳ１１０）。そして、ステップＳ１１４（後で詳説する）に進む。
【００４１】
一方、ステップＳ１０８において、同一フォルダ名のフォルダが無かった場合（Ｎｏ）には、スケジュールデータの日時と件名をフォルダ名として付した新たなフォルダを他の携帯端末１４０又はコンピュータ１５０の記録手段内に作成する（ステップＳ１１２）。そして、ステップＳ１１０に進み、画像ファイルをこのフォルダに記録させた後、ステップＳ１１４に進む。
【００４２】
ステップＳ１１４において、スケジュールデータのうち、未選択の件名が有るか否かを判断する。そして、未選択の件名が有った場合（Ｙｅｓ）には、ステップＳ１０４に戻り、このループを繰り返す。一方、未選択の件名が無かった場合（Ｎｏ）には、送受信により、デジタルカメラ１０の記録手段（記録媒体３６）内に未送信の画像ファイルが有るか否かを判断する（ステップＳ１１６）。そして、未送信の画像ファイルが有った場合（Ｙｅｓ）には、ステップＳ１０２に戻り、このループを繰り返す。未送信の画像ファイルが無かった場合（Ｎｏ）には、全ての画像ファイルについての判断がなされたので、処理を終了する（ステップＳ９９９）。
【００４３】
ステップＳ１０２に戻った場合には、新たな未送信の画像ファイルのデータをファイル１個分受信し、再度ステップＳ１０４以下において、スケジュールデータの全ての件名との照合を行い、これを全ての画像ファイルに対して行うこととなる。
【００４４】
以上、本発明に係るデジタルカメラ及び画像ファイル管理方法の実施形態の例について説明したが、本発明は上記実施形態の例に限定されるものではなく、各種の態様が採り得る。たとえば、スケジュールデータの形式、フォルダの態様等は、図４に例示されるものに限定される訳ではなく、各種の態様のものが採用できる。
【００４５】
また、他の携帯端末又はコンピュータも、図４に例示されるものに限定される訳ではなく、各種の方式のものが採用できる。
【００４６】
【発明の効果】
以上説明したように、本発明によれば、デジタルカメラが他の携帯端末又はコンピュータで作成されたスケジュールデータを所得し、スケジュールデータの日時と記録手段内の各画像ファイルの撮影日時とを照合する。そして、対応する撮影日時の画像ファイルがあった場合には、件名毎に件名をフォルダ名とした新たなフォルダを記録手段内に作成し、これと対応する撮影日時の画像ファイルの全てをこのフォルダに記録させる。これにより、件名に対応した画像ファイルがこのフォルダに記録されることとなり、撮影した画像の検索が極めて容易になる。
【００４７】
また、本発明にによれば、先ず、デジタルカメラより画像データをファイル１個分ずつ送信する。他の携帯端末又はコンピュータでは、この受信した画像ファイルに記録されている撮影日時と、内蔵のスケジュールデータの日時とを照合し、対応する撮影日時の画像ファイルであった場合には、件名を付した新たなフォルダを作成し、対応する画像ファイルをこのフォルダに記録させる。一方、スケジュールデータと対応する撮影日時の画像ファイルであった場合でも、これに対応するフォルダが既に存在する場合には、この画像ファイルを当該フォルダに記録させる。そして、以上の操作を全ての画像ファイルに対して行う。これにより、件名に対応した画像ファイルが各フォルダに記録されることとなり、撮影した画像の検索が極めて容易になる。
【図面の簡単な説明】
【図１】本発明に係るデジタルカメラの外観斜視図
【図２】デジタルカメラの信号処理系ブロック図
【図３】デジタルカメラと携帯端末又はコンピュータとの送受信状態を示す概念図
【図４】スケジュールデータとメモリ内のフォルダとの関係を示す概念図
【図５】第１の実施形態の流れを説明するフローチャート
【図６】第２の実施形態の流れを説明するフローチャート
【図７】従来のデジタルカメラのメモリ内のフォルダを示す概念図
【符号の説明】
１０…デジタルカメラ、１２…撮影レンズ、１６…表示手段、３２…アンテナ、３４…通信コネクタ、３６…記録媒体、３８…記録媒体装着部、８０…撮像手段、８２…情報処理手段、８８…入力手段、９８…カレンダ時計、１０６…送受信手段
【図１】
2004228987.tif 000003
【図２】
2004228987.tif 000004
【図３】
2004228987.tif 000005
【図４】
2004228987.tif 000006
【図５】
2004228987.tif 000007
【図６】
2004228987.tif 000008
【図７】
2004228987.tif 000009